(57)【要約】【課題】  扉体を囲繞する枠体の有無に関わらず、容易に開き方向を変更可能な収容箱を提供する。【解決手段】  前面２ａに横長長方形状の開口部Ｏを有して内部に収容物を収容可能な箱体２に、開口部Ｏの開閉揺動をすべくヒンジ部４を介して扉体３が着脱自在に取付けられている収容箱１において、該収容箱１を、扉体３の開き方向を縦開きとする縦開き用扉体５と横開きとする横開き用扉体７とについて何れか一方から他方への交換取付けが可能となるよう構成するにあたり、ヒンジ部４として、縦開き用扉体５には縦開き用ヒンジ部６が、横開き用扉体７には横開き用ヒンジ部８が用いられ、開口部Ｏの左右両端縁部１１、１２には、縦開き用ヒンジ部６又は横開き用ヒンジ部８を箱体２に着脱自在に取付けるときに共通に用いられる取付孔１１ｃ、１２ｃが設けられたものとした。【選択図】図３
2018034882.tif 000002
【特許請求の範囲】
【請求項１】
前面に横長長方形状の開口部を有して内部に収容物を収容可能な箱体に、前記開口部の開閉揺動をすべくヒンジ部を介して扉体が着脱自在に取付けられている収容箱であって、
該収容箱を、前記扉体の開き方向を縦開きとする縦開き用扉体と横開きとする横開き用扉体とについて何れか一方から他方への交換取付けが可能となるよう構成するにあたり、
前記ヒンジ部として、縦開き用扉体には縦開き用ヒンジ部が、横開き用扉体には横開き用ヒンジ部が用いられ、
前記開口部の左右両端縁部には、前記縦開き用ヒンジ部又は横開き用ヒンジ部を箱体に着脱自在に取付けるときに共通に用いられる取付孔が設けられていることを特徴とする収容箱。
【請求項２】
前記開口部の左右端縁部は、箱体左右前端から左右方向内側に向けて折曲した前面板と、該前面板の左右方向内端から背面側に向けて折曲した内面板とを備えており、前記取付孔は該内面板に設けられている一方、前記各ヒンジ部は、前記取付孔に螺入する固定具を介して前記内面板に着脱自在に固定される固定片を有していることを特徴とする請求項１記載の収容箱。
【請求項３】
前記縦開き用ヒンジ部は縦開き用のブラケットを、横開き用ヒンジ部は横開き用のブラケットをそれぞれ備えており、これらブラケットはいずれも上下方向に長い長尺部を有しており、該長尺部は、前記固定片と、箱体の天板及び底板並びに／又は開口部の上下端縁部に上下方向内側から当接する当接端部とを備えていることを特徴とする請求項２記載の収容箱。
【請求項４】
前記各扉体は錠前を備えており、前記縦開き用扉体の錠前の係止部は、開口部の上下端縁部の少なくとも一方に設けられた鍵受けに係脱自在に係止し、前記横開き用扉体の錠前の係止部は、開口部の左右端縁部の少なくとも一方に設けられた鍵受けに係脱自在に係止することを特徴とする請求項１乃至３のいずれか１記載の収容箱。
【請求項５】
前記縦開き用扉体の錠前の係止部が係止する鍵受けは、前記開口部の下端縁部のみに設けられていることを特徴とする請求項４記載の収容箱。
【請求項６】
請求項１乃至５のいずれか１記載の収容箱において、既設の扉体を既設のヒンジ部から取外した後、既設のヒンジ部を箱体から取外し、その後、交換される扉体用ヒンジ部を開口部の左右両端縁部の取付孔を用いて箱体に取付け、該取付けられたヒンジ部に交換用の扉体を取付けることで、扉体の開き方向の縦開き、横開きの変更をすることを特徴とする収容箱における扉体の開き方向変更方法。
【発明の詳細な説明】
【技術分野】
【０００１】
本発明は、郵便受け、宅配ボックス、ロッカー等の扉体付きの収容箱及び収容箱における扉体の開き方向変更方法に関する。
【背景技術】
【０００２】
一般に、箱体の横長長方形状な開口部にヒンジ部を介して扉体を開閉揺動自在に取付け、収容物を出し入れする時には扉体を開き、それ以外の時には閉めておくようにした収容箱が知られている。このような収容箱における扉体の開き方向として、扉体が上下方向に開閉揺動する縦開き（上開き・下開き）、左右方向に開閉揺動する横開き（右開き（右勝手）・左開き（左勝手））がある。そして、一般に、いずれの開き方向とするかは、収容箱の設計・製造段階で決められており、製造後・設置後等事後的に変更することは想定されていない。
【０００３】
しかしながら、収容箱の開き方向の事後的な変更が望まれることがある。例えば、右開きの収容箱を購入したものの、実際に収容箱を設置してみると、その設置スペースの右側に壁があり、扉体を十分に開くことができない場合があり、このようなときには扉体の開き方向を左開き又は縦開きにすることが望まれる。また例えば、集合住宅に設置されるような上下方向多段式の郵便受けでは、全ての郵便受けが統一されて設けられており、したがって開き方向も同じなのが一般的である。そして例えば、扉体が上開きで統一されている場合、扉体を開いて内容物の有無を確認しようとしたときに、上段側の郵便受けを開閉する際には上開きであっても特段の不都合はないが、下段側の郵便受けになるにつれて、使用者がしゃがんだり腰を曲げたりした状態で扉体の下側から郵便受けの箱体内を覗き込んで郵便物の有無を確認しなければならなくなる。特に、奥行きがある前入後出タイプの郵便受けでは、葉書等の比較的小さな郵便物が前側の投入口から投函されたときに、当該郵便物は後ろ側の扉体から離れた位置で収納されることになるため、下段側の郵便受けほど郵便物の有無の確認が困難となり、横開きのものに変更することが望まれることがある。
【０００４】
しかし上述の通り、一般には収容箱の開き方向の事後的な変更は想定されていないため、開き方向の事後的な変更が望まれた場合には、扉体のみならず、箱体までを含めた収容箱全体を交換する必要があり、コストや手間がかかるという問題がある。そこで、収容箱全体を交換することなく、事後的に収容箱の開き方向を変更できるようにしたものとして、特許文献１〜３に記載されたものが知られている。特許文献１のものは、箱体において、箱体の左右枠にボルト孔が形成されており、扉体と、ボルト孔に取付けられるヒンジ部とを上下反転させて箱体に取付けることにより、一種類の扉体で右開き・左開きに兼用可能としたものである。また、特許文献２のものは、箱体の開口部に枠体を内嵌させ、該枠体に扉体を揺動自在に取付けたものであって、開口部と枠体とを正方形状にすることで、枠体の取付け方向によって開き方向を任意のものとすることを可能としたものである。また、特許文献３のものは、箱体の開口部に、第一・第二コーナージョイント嵌挿溝が並んで設けられた開口用部材を連結させた四方枠を嵌合させ、該四方枠に扉を回転可能に支持させたものである。そして、四方枠を取り外して扉を他の開き方向のものとすることで、箱体を交換することなく、開き方向を変更することが可能なものである。
【先行技術文献】
【特許文献】
【０００５】
【特許文献１】特開２２１０−１４３０２４号公報
【特許文献２】特開平１０−１８３３２２号公報
【特許文献３】特許４２２３４７９号公報
【発明の概要】
【発明が解決しようとする課題】
【０００６】
しかし、特許文献１のものは、左右間での開き方向の変更を可能としたものに過ぎず、これを縦開きにすることについては何らの記載も示唆もされていない。また、特許文献２のものは、箱体が長方形の場合には対応できないものである。そして、特許文献３のものは、長方形状の箱体にも対応しうるものであるが、扉体を囲繞する枠体（四方枠）が設けられることが前提となるため、多数の部材が必要となってコストが高くなるだけでなく、枠体のないものには実施ができないという問題がある。さらに、開き方向の変更作業は、施工業者等の専門家のみならず、事後的な変更を望む使用者が自ら行えることが好ましい。そこで、扉体を囲繞する枠体の有無に関わらず、容易に開き方向を変更可能な収容箱が望まれており、これらに本発明が解決せんとする課題がある。
【課題を解決するための手段】
【０００７】
本発明は、上記の課題を解決するため鋭意創作されたものであって、請求項１の発明は、前面に横長長方形状の開口部を有して内部に収容物を収容可能な箱体に、前記開口部の開閉揺動をすべくヒンジ部を介して扉体が着脱自在に取付けられている収容箱であって、該収容箱を、前記扉体の開き方向を縦開きとする縦開き用扉体と横開きとする横開き用扉体とについて何れか一方から他方への交換取付けが可能となるよう構成するにあたり、前記ヒンジ部として、縦開き用扉体には縦開き用ヒンジ部が、横開き用扉体には横開き用ヒンジ部が用いられ、前記開口部の左右両端縁部には、前記縦開き用ヒンジ部又は横開き用ヒンジ部を箱体に着脱自在に取付けるときに共通に用いられる取付孔が設けられていることを特徴とする収容箱である。
請求項２の発明は、前記開口部の左右端縁部は、箱体左右前端から左右方向内側に向けて折曲した前面板と、該前面板の左右方向内端から背面側に向けて折曲した内面板とを備えており、前記取付孔は該内面板に設けられている一方、前記各ヒンジ部は、前記取付孔に螺入する固定具を介して前記内面板に着脱自在に固定される固定片を有していることを特徴とする請求項１記載の収容箱である。
請求項３の発明は、前記縦開き用ヒンジ部は縦開き用のブラケットを、横開き用ヒンジ部は横開き用のブラケットをそれぞれ備えており、これらブラケットはいずれも上下方向に長い長尺部を有しており、該長尺部は、前記固定片と、箱体の天板及び底板並びに／又は開口部の上下端縁部に上下方向内側から当接する当接端部とを備えていることを特徴とする請求項２記載の収容箱である。
請求項４の発明は、前記各扉体は錠前を備えており、前記縦開き用扉体の錠前の係止部は、開口部の上下端縁部の少なくとも一方に設けられた鍵受けに係脱自在に係止し、前記横開き用扉体の錠前の係止部は、開口部の左右端縁部の少なくとも一方に設けられた鍵受けに係脱自在に係止することを特徴とする請求項１乃至３のいずれか１記載の収容箱である。
請求項５の発明は、前記縦開き用扉体の錠前の係止部が係止する鍵受けは、前記開口部の下端縁部のみに設けられていることを特徴とする請求項４記載の収容箱である。
請求項６の発明は、請求項１乃至５のいずれか１記載の収容箱において、既設の扉体を既設のヒンジ部から取外した後、既設のヒンジ部を箱体から取外し、その後、交換される扉体用ヒンジ部を開口部の左右両端縁部の取付孔を用いて箱体に取付け、該取付けられたヒンジ部に交換用の扉体を取付けることで、扉体の開き方向の縦開き、横開きの変更をすることを特徴とする収容箱における扉体の開き方向変更方法である。
【発明の効果】
【０００８】
請求項１、６の発明とすることで、箱体を含めた収容箱全体を交換したり、特別な枠体を用いたりすることなく扉体の開き方向を縦開きと横開き相互間で変更することができるため、事後的に扉体の開き方向を変更する場合であっても、コストを抑えることができ、扉体の外観を自由なものとすることができる。また、縦開きと横開き相互間での変更でありながら、ヒンジ部は共通の取付孔によって固定されるため、変更方法が明快であり、かつ、製造コストも抑えることができる。
請求項２の発明とすることで、箱体開口部の内面板に取付孔が設けられているため、扉体が開放された状態でのみ扉体の交換が可能となり、セキュリティが高くなる。また、取付孔やビスが扉体の閉鎖時に視認されないため、外観性が向上する。
請求項３の発明とすることで、ヒンジ部を着脱自在としつつ、箱体の左右両端部の強度が補強されるため、箱体の歪み変形等による扉体の開閉の不具合を抑止し、長期の使用が可能となる。
請求項４の発明とすることで、扉体に錠前を設けた場合であっても、縦開きと横開き相互間での開き方向の変更をすることが可能となる。
請求項５の発明とすることで、扉体の開き方向を下開きとすることができなくなるため、扉体にぶらさがったり、荷物を置いたりされて歪み変形等が生じることを防ぐことができる。
【図面の簡単な説明】
【０００９】
【図１】（Ａ）上開き、（Ｂ）右開きの収容箱の正面図である。
【図２】扉体の開閉動作を示す図であって、（Ａ）上開きのものの左側面図、（Ｂ）右開きのものの平面図である。
【図３】収容箱の前面側を示す図であって、（Ａ）平面図（上開き）、（Ｂ）図１（Ａ）のＢ−Ｂ断面図、（Ｃ）図１（Ｂ）のＣ−Ｃ断面図、（Ｄ）図１（Ｂ）のＤ−Ｄ断面図（右開き）である。
【図４】（Ａ）縦開き用のブラケットが取付けられた箱体の正面図、（Ｂ）横開き用のブラケット及び補助ブラケットが取付けられた箱体の正面図、（Ｃ）ブラケットが取付けられていない箱体の（Ａ）のＣａ−Ｃａ断面図である。
【図５】箱体の図４（Ａ）のＸ−Ｘ側面断面図であって、（Ａ）ブラケットが取付けられていないもの、（Ｂ）縦開き用のブラケットが取付けられたもの、（Ｃ）横開き用のブラケットが取付けられたもの、（Ｄ）補助ブラケットが取付けられたものである。
【図６】縦開き用扉体の（Ａ）正面図、（Ｂ）背面図、（Ｃ）平面図、（Ｄ）（Ａ）のＤａ−Ｄａ側面断面図である。
【図７】横開き用扉体の（Ａ）正面図、（Ｂ）背面図、（Ｃ）平面図、（Ｄ）右側面図である。
【図８】縦開き用の右ブラケットの（Ａ）左側面図、（Ｂ）正面図、（Ｃ）平面図、横開き用のブラケットの（Ｄ）左側面図、（Ｅ）正面図、（Ｆ）平面図、補助ブラケットの（Ｇ）左側面図、（Ｈ）正面図、（Ｉ）平面図である。
【図９】軸受部材の正面図であって、（Ａ）支軸を取付けていないもの、（Ｂ）ヒンジピンを取付けたもの、（Ｃ）トルクヒンジを取付けたものである。
【図１０】収容箱の（Ａ）背面図、（Ｂ）（Ａ）の背面側のＢｂ−Ｂｂ断面図である。
【図１１】複数連接した収容箱において、（Ａ）全ての収容箱が上開きのもの、（Ｂ）最下段の収容箱を右開きに変更したものを示す図である。
【発明を実施するための形態】
【００１０】
以下、本発明の実施の形態について、図面に基づいて詳細に説明する。１は集合住宅等で設置される、前入後出タイプの郵便受けとして用いられる収容箱である。収容箱１は、前面２ａに横長長方形状の開口部Ｏを有して内部に収容物を収容可能な直方体形状の箱体２と、扁平な直方体形状で、一辺を軸支されて開口部Ｏを開閉するよう揺動可能に軸支される扉体３と、該扉体３を揺動可能に軸支するヒンジ部４と、によって構成されている。後述するように、扉体３はヒンジ部４に対して着脱自在であり、また、ヒンジ部４は箱体２に対して着脱自在となっている。そして、扉体３の開き方向を縦開きにするときには、扉体３として縦開き用扉５、ヒンジ部４として縦開き用ヒンジ部６が用いられる一方、横開きにするときには、扉体３として横開き用扉７、ヒンジ部４として横開き用ヒンジ部８が用いられる。収容箱１は、後述するように縦開きと横開きとを相互に変更可能なものであって、箱体２は、縦横いずれの開き方向であっても共通して用いられる。さらに、箱体２は、背面に投函口９が設けられており、該投函口９から郵便物が投函されたときに、前面側の扉体３を開放することで、開口部Ｏから郵便物を取り出すことができるものである。なお、一般にこのような郵便受けを「前入後出」タイプと呼ぶが、説明の便宜上、箱体２の扉体３側を前面、投函口９側を背面とする。ただし、これに限定されるものではない。
【００１１】
箱体２は、折り曲げ加工された２枚のステンレス等の金属板を底面で溶接して一体としたものであって、前面２ａには開口部Ｏを有し、背面には投函口９が設けられており、他の面には天板２ｂ、左側面板２ｃ、右側面板２ｄ、底板２ｅを備えている。なお、本実施の形態では、１枚の金属板の左右側面下端が左右方向内側に折り曲げられており、当該折り曲げ片２ｆと、他方の金属板である底板部材２ｇとを溶接して一体としているが、これら折り曲げ片２ｆと底板部材２ｇとを併せて底板２ｅというものとする。
【００１２】
箱体２の開口部Ｏの四周には、上端縁部１０、左端縁部１１、右端縁部１２、下端縁部１３が形成されている。上端縁部１０は、天板２ｂの前端が垂下した前面板１０ａと、該前面板１０ａの下端が背面（投函口９）側に向けて水平に折曲した内面板１０ｂと、からなり、断面略コ字状になっている。また、左右端縁部１１、１２は、箱体２の左右前端である左右側面板２ｃ、２ｄの前端から左右方向内側に向けて折曲した前面板１１ａ、１２ａと、該前面板１１ａ、１２ａの左右方向内端から背面側に向けて垂直に折曲した内面板１１ｂ、１２ｂと、からなり、断面略凵字状になっている。そして、左右端縁部１１、１２の内面板１１ｂ、１２ｂにはそれぞれ、後述するヒンジ部４のブラケットを固定具であるビスＸａによって取付けるための取付孔１１ｃ、１２ｃが、上下に１つずつ穿設されている。この取付孔１１ｃ、１２ｃは縦開き用ヒンジ部６又は横開き用ヒンジ部８を箱体２に取付けるときに共通に用いられるものである。そして、取付孔１１ｃ、１２ｃを内面板１１ｂ、１２ｂに設けることで、扉体３の閉鎖時には取外し作業ができなくなるため、セキュリティが高くなる。
【００１３】
一方、下端縁部１３は、底板部材２ｇの前端側に、前高後低状に傾斜した傾斜面１３ａと、該傾斜面１３ａの上端から開口部Ｏの前端に向けて水平に延出した水平面１３ｂと、該水平面１３ｂの前端が垂下した前面板１３ｃと、からなる。このように、下端縁部１３は他の端縁部とは異なる形状となっているが、これは箱体２内に収容された収容物を取り出す際に、手や収容物が引っ掛かることがないよう配慮されているものである。
【００１４】
また、開口部の各端縁部には、扉体３の錠前１６の係止部１６ａが係止する鍵受け１４が切欠き形成されている。該鍵受け１４は凹溝形状の切欠きで、左右端縁部１１、１２及び下端縁部１３に１つずつ、計３つ形成されている。左右端縁部１１、１２の鍵受け１４は、それぞれの内面板１１ｂ、１２ｂの上下方向中央部で前後方向中央部から後端までが切欠かれて形成されている。錠前１６の係止部１６ａは、右開きのときには左端縁部１１の、左開きの時には右端縁部１２の鍵受け１４の前端に係止することで、扉体３の閉鎖時に施錠されるようになっている。また、下端縁部１３の鍵受け１４は、水平面１３ｂの左端部の前端近傍から傾斜面１３ａにかけて前後方向に連続して切欠き形成されている。上開きのときには、この下端縁部１３の鍵受け溝１４の前端に錠前１６の係止部１６ａが係合することで、扉体３の閉鎖時に施錠されるようになっている。
【００１５】
他方、上端縁部１０には鍵受け溝１４が設けられていない。このため、扉体３の開き方向を下開きに変更しようとしても、錠前１６の係止部１６ａが係止することができないため、下開きに変更できないようになっている。これは特に、収容箱１が郵便受け等で床上に設置されていない場合に下開きへの変更を可能とすると、下開きの扉体３に荷物が置かれたり、ぶら下がられたりすると、想定以上の負荷がかかり、箱体２や扉体３、ヒンジ部４等が歪む等して変形・破損してしまうおそれがある。このため、本実施の形態では下開きへの変更をすることができないようにしたものである。もっとも、下開きとしてもこのような問題が生じない場合には、鍵受け１４を上端縁部１０に設けてもよい。このように、錠前１６を扉体３に取付けたときには、各端縁部における鍵受け１４の有無によって特定の開き方向への変更をできないようにすることができる。
【００１６】
続いて、開口部Ｏの端縁部の四隅について説明する。左右端縁部の前面板１１ａ、１２ｂの上下長さはいずれも箱体２の天板２ｂと底板２ｅ（折り曲げ片２ｆ）とのあいだの長さであるが、内面板１１ｂ、１２ｂは上下端が切欠かれて、上下長さが上端縁部１０の内面板１０ｂと下端縁部１３の水平面１３ｂとのあいだの長さとなっている。また、上端縁部１０の前面板１０ａの左右長さは箱体２の左右側面板２ｃ、２ｄのあいだの長さであるが、その内面板１０ｂは左右端が切欠かれて、左右長さが左右端縁部１１、１２の内面板１１ｂ、１２ｂのあいだの長さとなっている。そして、左右端縁部の前面板１１ａ、１２ａの上端部に、上端縁部の前面板１０ａが前側から折り畳まれて左右端部が重なっているが、この重なった両端部には、リベットＲを挿通させるためのリベット貫通孔１５が穿設されている。該リベット貫通孔１５にリベットＲが挿通されてかしめられることで、開口部Ｏの端縁部の右上、左上の両隅部が止められている。
【００１７】
他方、下端縁部１３は、前面板１３ｃの左右長さが箱体２の左右側面板２ｃ、２ｄのあいだの長さである一方、傾斜面１３ａから水平面１３ｂの左右端部は切欠かれて左右側面板２ｃ、２ｄと離間してスペースＳ１が形成されており、該スペースＳ１にブラケット１７の補強板１７ｄの下端部１７ｇが挿通されるようになっている。さらに、水平面１３ｂの左右端の前面板１３ｃ側は、左右端縁部の前面板１１ａ、１２ｂの左右長さに相当する長さだけ切欠かれてスペースＳ２が形成されており、該スペースＳ２に左右端縁部の前面板１１ａ、１２ｂの下端部が挿通されて、下端縁部１３の前面板１３ｃの左右両端と重なるようになっている。そして、スペースＳ２に挿通された左右端縁部の前面板１１ａ、１２ｂの下端部と、下端縁部の前面板１３ｃの左右両端との重なりを溶接することで、開口部Ｏの端縁部の右下、左下の両隅部が止められている。なお、折り曲げ片２ｆは傾斜面１３ａから前面板１３ｃに相当する位置にかけて切欠かれているが、その左右端部２ｈはわずかに幅を有しており、該左右端部２ｈに、後述するようにブラケット１７の補強板１７ｄの下端部１７ｇが当接するようになっている。
【００１８】
開口部Ｏでは、特に扉体３の開閉時に大きな負荷がかかるため、歪みや破損を防ぐための十分な強度が必要であるが、上述のように端縁部の四隅をリベットＲや溶接によって止めることで、ヒンジ部４を箱体２と別体で着脱可能のものとしても、十分な強度が得られて耐久性が高いものとなっている。なお、本実施の形態では、下端縁部１３側の左右両端部を溶接しているが、上端縁部１０側と同様にリベットＲでかしめ固定したものとしてもよい。リベットＲによる固定では、溶接と比較して歪み変形が生じにくくなるため、特に下開きへの変更を可能とするときには、負荷がかかる下端縁部１３側の左右両端をリベットＲで固定することで、耐久性を向上させることができる。
【００１９】
図１０に示されるように、箱体２の投函口９には、左右端に備えられた一対のブラケット９ａに軸支された、上後方（箱体外方向）に揺動可能な外側の外蓋９ｂと、上前方（箱体内方向）に揺動可能な内側の内蓋９ｃとが設けられており、平時はいずれの蓋も閉鎖されている。そして、郵便物を投函するときには、外蓋９ｂを持ち上げ、郵便物を挿入すると、郵便物によって内蓋９ｃが押し上げられて開口し、郵便物を箱体２内部に投函可能となっているものである。投函後は、外蓋９ｂ、内蓋９ｃのいずれも自重によって閉方向に揺動するようになっている。投函口９のこうした構造は既知のものであるため、詳細な説明は省略する。なお、投函口９はこのような構成のものに限られず、適宜のものとしてよい。また、収容箱１を前入前出タイプの郵便受けとするときには、扉体３に投函口を設け、背面の投函口９は設けないものとすればよい。さらに、収容箱１を、ロッカーのように扉体３の開閉のみによって収容物を出し入れ可能とする場合には、投函口を設けなくてよい。
【００２０】
続いて扉体３、ヒンジ部４について説明するが、まずは上開きのものについて説明し、その後、横開き、特に右開きのものについて説明する。ここで、右開きと左開きのものは、扉体３及びヒンジ部４を上下転倒させて箱体２の軸支された辺と対向する辺側に取付けられたものであって相互に対応したものであるため、左開きのものについての説明は省略する。また、下開きへの変更を可能とする場合の下開きのものも同様であるため、説明は省略する。
【００２１】
縦開き用扉体５は、ステンレス等の金属板を折り曲げ加工したものであって、箱体２の前面２ａと略同形の横長長方形状の前面板５ａと、該前面板５ａが後方に延出した左右側面板５ｂ、５ｃ及び上下板５ｄ、５ｅと、上板５ｄの後端から垂下した折返し部５ｆと、から構成され、背面が開口して厚さ（奥行き）が小さい扁平な直方体形状をしており、錠前１６が取付けられていて、開口部の閉鎖時に施錠することができるようになっている。前面板５ａと折り返し部５ｆとのあいだには下方が開放されたスペースＳ３が形成されており、該スペースＳ３には、後述する軸受部材１８が取付けられる。
【００２２】
縦開き用扉体５の上板５ｄの左右両端部には、後述する縦開き用ブラケット１７の延出部１７ｊに対応する位置に、凹溝５ｇが切欠き形成されている。該凹溝５ｇは上板５ｄの前後方向中央部から後端にかけて形成されており、縦開き用扉体５を開方向へ揺動させると、所定位置で延出部１７ｊの上端１７ｎが凹溝５ｇの前端に当接し、これによって縦開き用扉体５の開方向への揺動可能な範囲が規制されるようになっている。また、縦開き用扉体５の折返し部５ｆは、上板５ｄの凹溝５ｇに相当する左右位置から左右両端までが切欠かれており、開閉時にブラケット１７の延出部１７ｊが折返し部５ｆに当接してないようになっている。また、縦開き用扉体５の折返し部５ｆの左右両端部には、後述するヒンジ部４の軸受部材１８を取付けるためのビス孔５ｈがそれぞれ２箇所ずつ穿設されている。さらに、縦開き用扉体５の下板５ｅの左右両端部の後端からは、上方に向けて戸当り片５ｉが延設されている。該戸当り片５ｉには、ゴム等の緩衝材からなる戸当り５ｊが取付けられており、該戸当り５ｊは、縦開き用扉体５の閉鎖時に開口部Ｏの下端縁部の前面板１３ｃの左右両端部に緩衝して当接して、金属板同士が直切当接しないようになっている。
【００２３】
そして、縦開き用扉体５の前面板５ａの左下端部には、錠前１６を取付けるための錠前取付孔５ｋが穿設されている。該錠前取付孔５ｋは、縦開き用扉体５が開口部Ｏを閉鎖したときに、下端縁部１３の鍵受け１４に対応する位置に設けられている。そして、錠前取付孔５ｋに錠前１６の後部を挿通させて、背面側からナット１６ｄを螺入することで、錠前１６が縦開き用扉体５に螺着されている。このとき、錠前１６は、係止部１６ａが下側に突出するように取付けられる。なお、錠前取付孔５ｋの左右位置は、開口部Ｏの下端縁部１３の鍵受け１４の位置と対応させればよく、中央部や右端部等適宜のものとすることができる。
【００２４】
錠前１６は、錠前取付け孔５ｋより大径のダイヤル部１６ｂと、該ダイヤル部１６ｂの後部で錠前取付孔５ｋより小径のボルト部１６ｃと、該ボルト部１６ｃのさらに後部に設けられて鍵受け溝１４と係合する係止部１６ａと、を備えており、ボルト部１６ｃを錠前取付孔５ｋに前側から挿通させ、縦開き用扉体５の背面側からナット１６ｄを螺入してボルト部１６ｃと螺着することで、縦開き用扉体５に脱着可能に取付けられたものである。錠前１６自体は既知のものであるため詳細な説明は省略するが、ダイヤル部１６ｂを所定回数回転させることで施錠状態から解錠状態となり、施錠状態では、係止部１６ａの揺動が規制されて鍵受け１４の前端と当接して係止されるが、開錠状態では、係止部１６ａが揺動自在となって係止が解除され、縦開き用扉体５を開放可能とするものである。そして、鍵受け１４が設けられていない場合には、施錠状態にしようとしても開口部Ｏの下端縁部１３に係止部１６ａが当接してしまうため、縦開き用扉体５を閉鎖した状態で施錠状態にすることができないものである。なお、錠前１６は着脱可能であるため、縦開き用扉体５と、横開き用扉体７に共通して用いることができるが、それぞれで別の錠前としてもよい。また、本実施の形態では錠前１６をダイヤル錠としているが、これに限られず、デジタル錠やシリンダー錠、ラッチロック錠等種々のものとすることができる。
【００２５】
縦開き用ヒンジ部６は、軸孔１７ｃが穿設されて箱体２に取付けられるブラケット１７と、縦開き用扉体５の背面側に取付けられて軸孔１８ａが設けられた軸受部材１８と、ブラケット１７の軸孔１７ｃと軸受部材１８の軸孔１８ａとに挿通されて縦開き用扉体５が揺動する際の軸となる支軸１９と、から構成されている。そして、縦開き用ヒンジ部６は、開口部Ｏの左右両側面側にそれぞれ設けられている。
【００２６】
縦開き用ヒンジ部６におけるブラケット１７は左右で異なり、箱体２の右端縁部１２には右ブラケット１７Ａが、左端縁部１１には左ブラケット１７Ｂが、それぞれ取付けられている。右ブラケット１７Ａと左ブラケット１７Ｂとは、左右対称な構造をしているため、以下では特に右ブラケット１７Ａについて説明する。右ブラケット１７Ａは、一枚のステンレス等の金属板を折り曲げ加工したもので、上下方向に長尺で前面側が開口した平面略冂字状の長尺部１７ａと、該長尺部１７ａの上端部から前方に向けて延出して、軸孔１７ｃが穿設された軸受部１７ｂと、からなる。
【００２７】
右ブラケット１７Ａの長尺部１７ａは、左右方向外側（右側）の補強板１７ｄと、背面板１７ｅと、左右方向内側（左側）の固定面板１７ｆと、からなり、平面略冂字状形状となっている。背面板１７ｅの左右長さは、箱体２の右端縁部１２の前面板１２ａの左右長さと略同じである。また、補強板１７ｄの上下長さは、箱体２内部の天板２ｂと底板２ｅ（折り曲げ片２ｆ）とのあいだの高さと略同じである一方、背面板１７ｅ及び固定面板１７ｆは、補強板１７ｄより上下端が均等に短く、開口部Ｏの右端縁部１２の内面板１２ｂの高さと略同じになっている。このようにすることで、右ブラケット１７Ａは、補強板１７ｄの右面が箱体２の右側面板２ｄの内面（左面）に当接すると共に、固定面板１７ｆの右面が開口部Ｏの右端縁部１２の内面板１２ｂの左面と当接して箱体２に取付けられるようになっている。このとき、補強板１７ｄの下端部１７ｇは、開口部Ｏの下端縁部１３の右端のスペースＳ１から下方に挿通され、下端が底板２ｅの折り曲げ片２ｆと当接する一方、上端は天板２ｂの内面（下面）と当接している。また、固定面板１７ｆ及び背面板１７ｅの下端は、開口部Ｏの下端縁部１３の水平面１３ｂと当接しており、固定面板１７ｆの上端は、開口部Ｏの上端縁部１０の内面板１０ｂと当接している。このように、長尺部１７ａは、補強板１７ｄの上下端が箱体２の天板２ｂ及び底板２ｅに上下方向内側から当接する一方、固定面板１７ｆの上下端及び背面板１７ｅの下端が開口部Ｏの上下端縁部１０、１３に上下方向内側から当接するようになっており、これら箱体２と当接する各端部を当接端部１７ｈとして備えている。この長尺部１７ａは、各ブラケットで共通又は対称な形状を有しているもので、このような当接端部１７ｈを備えることにより、扉体３の開閉時に負荷がかかる開口部の左右両端部をヒンジ部４によって補強することができるため、ヒンジ部４を着脱自在なものとしても、十分な強度を得ることができ、耐久性が向上する。
【００２８】
また、右ブラケット１７Ａの固定面板１７ｆには、箱体２の右端縁部１２の内面板１２ｂに穿設された上下の取付孔１２ｃに対応する位置にそれぞれ取付孔１７ｉが穿設されており、これらに内側（左側）から固定具としてビスＸａが螺入されることで、右ブラケット１７Ａが箱体２に螺着されている。すなわち、固定面板１７ｆは、開口部Ｏの右端縁部１２に設けられた取付孔１２ｃに螺入するビスＸａを介して内面板１２ｂに着脱自在に固定される固定片に相当する。
【００２９】
右ブラケット１７Ａの軸受部１７ｂは、固定面板１７ｆの上端部から前方に延出した延出部１７ｊと、該延出部１７ｊの前端部から上方に突出した突出部１７ｋと、からなり、該突出部１７ｋには、支軸１９の右端部が挿通するための軸孔１７ｃが穿設されている。延出部１７ｊは、固定面板１７ｆの上端近傍から、上側の取付孔１７ｉの下部近傍に至るまでが前方に向けて延出したものであり、その前方への延出長さは、縦開き用扉体５の厚さ（奥行き）と略同じである。突出部１７ｋの上端は、補強板１７ｄの上端より僅かに低く、縦開き用扉体５の揺動時に前面板５ａや上板５ｄと当接しないようになっている。他方、延出部１７ｊの上端１７ｎは、縦開き用扉体５の開方向へ揺動すると、所定位置で上板５ｄの凹溝５ｇの前端と当接し、これによって縦開き用扉体５の開方向への揺動範囲が規制されている。
【００３０】
軸受部材１８及び支軸１９は、開き方向によらず共通のものを用いることができる。軸受部材１８は、支軸１９が挿通される軸孔１８ａを有する長方形状の樹脂材である。また、支軸１９としては、円柱形状のヒンジピン１９ａと、後述のトルクヒンジ２０のピン２０ａとが用いられている。軸孔１８ａとして、左右両側面の上面側には、ヒンジピン１９ａの一端部が挿通される第一軸孔１８ｂが穿設されている。第一軸孔１８ｂは左右両側面に対向して設けられているが、左右の第一軸孔１８ｂのあいだの中間部には仕切壁１８ｃが設けられており、一方側面の第一軸孔１８ｂにヒンジピン１９ａを挿通させても、その先端は仕切壁１８ｃに突き当たるため、他方側面の第一軸孔１８ａには挿通されないようになっている。これによって、軸受部材１８を左右で共通の構造としつつ、ヒンジピン１９ａが抜け止めされるようになっている。
【００３１】
一方、軸受部材１８の底面側では、前面側が切欠かれることでトルクヒンジ嵌合部１８ｄが形成されており、左右両側面に軸孔１８ａとして第二軸孔１８ｅが設けられている。そして、このトルクヒンジ嵌合部１８ｄにトルクヒンジ２０が嵌合・螺着され、該トルクヒンジ２０のピン２０ａが第二軸孔１８ｅを通じてブラケット１７の突出部１７ｋの軸孔１７ｃへと挿通されるようになっている。また、軸受部材１８の背面側の上下方向中央部には、軸受部材１８を扉体３の折返し部５ｆに取付けるための２つのビス孔１８ｆが設けられており、軸受部材１８を扉体３のスペースＳ３に挿入してビス孔１８ｆと扉体３の折返し部５ｆのビス孔５ｈとを位置合わせし、ビスＸｂを螺入することで、軸受部材１８が扉体３に螺着されている。
【００３２】
軸受部材１８をこのような構成とすることによって、１つの部材でヒンジピン１９ａとトルクヒンジ２０とに対応可能となる。トルクヒンジ２０を用いると、扉体３の自由な揺動を規制して、任意の位置で停止可能としたり、勢いよく揺動されないようにしたりすることができる。本実施の形態では、上開きのときには左側の縦開き用ヒンジ部６にはトルクヒンジ２０を用いる一方、右側の縦開き用ヒンジ部６にはヒンジピン１９ａを用いたものとしている。
【００３３】
次に、右開きの場合の扉体３及びヒンジ部４について説明する。横開き用扉体７及び横開き用ヒンジ部８は、左右開きいずれでも用いることができるが、説明の便宜上、方向・位置等は右開きのときのものを前提とする。横開き用扉体７の基本的な構成は縦開き用扉体５と同様であって、箱体２の前面２ａと略同形の横長長方形状の前面板７ａと、該前面板７ａが後方に延出した左右側面板７ｂ、７ｃ及び上下板７ｄ、７ｅと、を備えているが、折返し部７ｆが右側面板７ｃの後端部から前面と平行に折り返されており、この点では縦開き用扉体５とは異なっている。そして、前面板７ａと折り返し部７ｆとのあいだには、左方が開放されたスペースＳ４が形成されている。
【００３４】
そして、右側面板７ｃの上下両端部には、後述する横開き用のブラケット２２の軸受部２２ｂに対応する位置に凹溝７ｇが切欠き形成されていること、折返し部７ｆの左右両端が切り欠かれていること、折返し部７ｆに軸受部材１８を取付けるためのビス孔７ｈが穿設されていることは、縦開き用扉体５の上板５ｄ及び折返し部５ｆの場合と同様である。また、左側面板７ｂの上下両端部の後端から、左右方向内側（正面視で右側）に向けて戸当り片７ｉが延設されており、該戸当り片７ｉに戸当り７ｊが取付けられていることは、縦開き用扉体５の下板５ｅの場合と同様である。また、横開き用扉体７にも錠前１６が取付けられており、該錠前１６を取付けるための錠前取付孔７ｋは、前面板７ａの左端中央部に穿設されていて、錠前１６の係止部１６ａは開口部Ｏの左端縁部１１の鍵受け１４に係止するようになっている。すなわち、上開きとした場合に対して、右開きとした場合には、錠前１６が右に９０度回転した状態で取付けられており、係止部１６ａが左側に位置するようになっている。
【００３５】
また、横開き用扉体７には、前面板７ａの背面側の錠前１６の下部に垂れ止め２１が取付けられている。該垂れ止め２１は、前面板７ａの背面に当接して上部に取付孔２１ｂが穿設された取付面２１ａと、該取付面２１ａの下端から後方に延出して、後端部が上方に傾斜した延出部２１ｃと、から構成されている。垂れ止め２１は、錠前１６を錠前取付孔７ｋに挿入した状態で、錠前１６の後部を取付孔２１ｂに挿通させておいた後、ナット１６ｄによって錠前１６を横開き用扉体７に取付けるに際して、横開き用扉体７の前面板７ａの裏面とナット１６ｄとに挟まれて固定されることで着脱可能に取付けられている。横開き用扉体７の閉鎖時に、延出部２１ｃが開口部Ｏの下端縁部１３の水平面１３ｂの横開き用ヒンジ部８が設けられていない側の端部（右開きでは左端側）と当接し、これによって横開き用ヒンジ部８にかかる負荷が軽減されることとなる。
【００３６】
右開きの場合、横開き用ヒンジ部８は右端縁部１２にのみ設けられており、ブラケットとして横開き用のブラケット２２が用いられる。該ブラケット２２は、縦開き用のブラケット１７と略同形状の長尺部２２ａを有し、該長尺部２２ａが右側の補強板２２ｄ、背面板２２ｅ、左側の固定面板２２ｆからなり、箱体２への取付時における長尺部２２ａと箱体２との当接関係、すなわち長尺部２２ａが当接端部２２ｈを有することや、固定面板２２ｆに取付孔２２ｉが設けられていることについても、縦開き用のブラケット１７の長尺部１７ａと同様である。
【００３７】
一方、軸受部２２ｂの構造は、縦開き用のブラケット１７の軸受部１７ｂの構造と異なっている。横開き用のブラケット２２の軸受部２２ｂは、長尺部２２ａの固定面板２２ｆの上下端から左前方に略矩形状に延出した一対の延出部２２ｊと、該一対の延出部２２ｊの右前端部から右方へ突出した突出部２２ｋと、からなり、該突出部２２ｋには、上下方向に貫通した軸孔２２ｃが穿設されている。延出部２２ｊは、固定面板２２ｆの上下端部が折り曲げられて延出したものであり、その前方への延出長さは、横開き用扉体７の厚さ（奥行き）と略同じである。そして、突出部２２ｋの右端は、補強板２２ｄよりに僅かに左に位置し、横開き用扉体７の揺動時に前面板７ａや右側面板７ｃと当接しないようになっている。他方、延出部２２ｊの右端２２ｎは、横開き用扉体７を開方向へ揺動すると、所定位置で右側面板７ｃの凹溝７ｇの前端と当接し、これによって横開き用扉体７の開方向への揺動範囲が規制されている。
【００３８】
右開きの場合、軸受部材１８、支軸１９（及びトルクヒンジ２０）は縦開きの場合と共通のものを用いることができる。支軸１９の一端（上下方向外端）をブラケット２２の軸孔２２ｃに、他端を軸受部材１８の軸孔１８ａに挿通させて、横開き用扉体７裏面のスペースＳ４に軸受部材１８が配されてビス止めされることで、横開き用ヒンジ部８によって開き用扉体７が箱体２の右端縁部１２に軸支されて介装されている。なお、本実施の形態では、上側の支軸１９にはトルクヒンジ２０のピン２０ａを用いる一方、下側の支軸１９にはヒンジピン１９ａを用いたものとしている。
【００３９】
また、右開きの場合には、箱体２の左端縁部１１に補助ブラケット２３が取付けられている。補助ブラケット２３は、ブラケット２２の軸受部２２ｂを有さず長尺部２２ａ（補強板２３ｄ、背面板２３ｅ、固定面板２３ｆ）のみからなる形状をしており、ブラケット２２と同様に、ビスＸａを左端縁部１１の取付孔１１ｃに連通して螺入することで、箱体２に取付けられているものである。補助ブラケット２３は、ブラケット２２が取付けられていない箱体２の左端縁部１１側を補強するものである。また、補助ブラケット２３の長尺部２３ａには、開口部Ｏの左端縁部１１の鍵受け１４に対応する位置に、固定面板２３ｆから背面板２３ｅまで鍵受け１４ａが切欠き形成されている。これによって、補助ブラケット２３を取付けても横開き用扉体７に取付けられた錠前１６の係止部１６ａが、開口部Ｏの左端縁部１１の鍵受け１４及び補助ブラケット２３の鍵受け１４ａの前端に係止できるようになっている。
【００４０】
以上の通り、共通の箱体２に縦開き用扉体５又は横開き用扉体７のいずれかが取付け可能となっており、これら扉体３及びヒンジ部４はいずれも着脱可能であるため、何れか一方から他方への交換取付けが可能となっているものである。続いて、開き方向を縦開きから横開き、特に上開きから右開きへと変更する方法を説明する。なお、横開きから上開きへの変更は、以下の逆手順のようにすれば可能であるから、その説明を省略する。
【００４１】
まず、錠前１６を解錠状態にして、縦開き用扉体５を上方に揺動して開放状態にする。そして、縦開き用扉体５の背面側から左右の軸受部材１８を螺着しているビスＸｂを全て外し、軸受部材１８及び支軸１９を左右方向内側へ移動させて支軸１９を左右のブラケット１７の軸孔１７ｃからそれぞれ引き抜く。これによって、縦開き用扉体５が縦開き用ヒンジ部４（及び箱体２）から取り外される。続いて、左右のブラケット１７を箱体２に螺着しているビスＸａを全て外し、ブラケット１７を箱体２の左右端縁部１１、１２から引き抜いて取り外す。これによって、縦開き用ヒンジ部６が箱体２から取り外される。
【００４２】
続いて、横開き用扉体７、横開き用ヒンジ部８及び補助ブラケット２３を箱体２の右端縁部１２に取付ける。まず、開口部Ｏの右端縁部１２に横開き用のブラケット２２を配し、補強板２２ｄの下端部２２ｇを箱体端縁部１３の右端のスペースＳ１に挿通させる。そして、補強板２２ｄの右面を箱体２の右側面板２ｄの内面に当接させると共に、固定面板２２ｆの右面を右端縁部１２の内面板１２ｂの左面と当接させる。そしてこの状態で、横開き用のブラケット２２の取付面板に設けられた上下一対の取付孔２２ｉと、開口部Ｏの右端縁部の内面板１２ｂに設けられた取付孔１２ｃとを連通して螺子Ｘａを螺入することで、ブラケット２２を箱体２の右端縁部１２に取付ける。また併せて、補助ブラケット２３を、ブラケット２２と同様にして箱体２の左端縁部１１の取付孔１１ｃと連通させるよう螺子Ｘａを螺入して、箱体２の左端縁部１１に取付ける。そして、上下の支軸１９の一端側（上下方向内端側）を軸受部材１８に、他端側をブラケット２２の軸孔２２ｃに挿通させた状態で、上下一対の軸受部材１８を横開き用扉体７のスペースＳ４に配し、横開き用扉体７の折返し部７ｆのビス孔５ｈと軸受部材１８のビス孔１８ｆとを位置合わせして、折返し部７ｆ側からこれらビス孔５ｈ、１８ｆを連通してビスＸｂを螺入することで、横開き用扉体７に軸受部材１８が取付けられると共に、横開き用扉体７が横開き用ヒンジ部８を介して箱体２の右端縁部１２に軸支されて、右開きとなって開口部Ｏを開閉自在に揺動可能なものとなる。
【００４３】
このようすることで、箱体２を共通のものとして、扉体３の開き方向を上開き（縦開き）から右開き（横開き）へと変更することができる。そしてこの際、ヒンジ部４の縦開き用のブラケット１７、横開き用のブラケット２２、補助ブラケット２３は、いずれも開口部Ｏの左右端縁部１１、１２の内面板１１ｂ、１２ｂに設けられた取付孔１１ｃ、１２ｃに、固定具であるビスＸａを螺入することで箱体２に取付けられるようになっており、固定具及び取付位置が共通化されているため、開き方向の変更方法が明快で、作業性が良いものとなっている。加えて、縦開き用のブラケット１７、横開き用のブラケット２２、補助ブラケット２３の長尺部は略共通の形状であり、これらの各当接端部が箱体２と上下方向で当接しているため、縦開き・横開きのいずれの開き方向であっても、開閉時に負荷がかかる左右両端部が補強され、歪み変形や破損等による箱体２と扉体３とのずれ等が生じないようになっている。
【００４４】
なお、錠前１６、軸受部材１８、支軸１９及びトルクヒンジ２０は、いずれも着脱可能なものであって、上開きと下開きで共通のものを用いることができる。この際、錠前１６については、任意の時においてナット１６ｄの螺合を解除して縦開き用扉体５から取外し、その後、取外した錠前１６の後部を、横開き用扉体７の錠前取付孔７ｋと、横開き用扉体７の背面に配した垂れ止め２１の取付孔２１ｂとを連通して挿通させ、ナット１６ｄによってこれらを螺合する。このようにすると、開き方向を変えた場合であっても、共通の錠前１６を使用できるため、コストが抑えられると共に、解錠番号を変更する必要がないため、使用者にとって便利なものである。
【００４５】
本実施の形態に係る収容箱１は、図１１に示されるように、縦横積み重ねて集合住宅用郵便受け２４とすることができる。このようにするためには、箱体２の天板２ｂ及び底板２ｅには、積み重ね時に対応する位置に上下連結孔２５ａ、２５ｂを穿設し、左右側面板２ｃ、２ｄには、隣接時に対応する位置に左右連結孔２５ｃ、２５ｄを穿設しておけばよい。そして、これら上下連結孔２５ａ、２５ｂ同士、左右連結孔２５ｃ、２５ｄ同士を図示しないナイロンリベット等の連結具によって連通・固定することで、複数の収容箱１を、上下左右に連結可能としている。そして、このようにした集合住宅用郵便受け２４では、図１１（Ａ）に示されるように、最初の設置時にはすべて開き方向が上開きのものであっても、開き方向を変更することにより、図１１（Ｂ）に示されるように、例えば最下段だけ右開きのものとするように改修することができる。したがって、事後的な開き方向の変更に対応でき、しかも一部のみの変更もすることができるため、使用者個々にとって所望の開き方向とすることができる。
【００４６】
叙述の如く構成された本発明の実施の形態において、収容箱１は、前面２ａに横長長方形状の開口部Ｏを有して内部に収容物を収容可能な箱体２に、開口部Ｏの開閉揺動をすべくヒンジ部４を介して扉体３が着脱自在に取付けられている。そして、扉体３としては、縦開き用扉体５又は横開き用扉体７の何れかが取付けられており、ヒンジ部４としては、縦開き用扉体５には縦開き用ヒンジ部６が、横開き用扉体７には横開き用ヒンジ部８が用いられており、開口部Ｏの左右両端縁部１１、１２には、縦開き用ヒンジ部６又は横開き用ヒンジ部８を箱体２に着脱自在に取付けるときに共通に用いられる取付孔１１ｃ、１２ｃが設けられている。これによって、収容箱１は、扉体３の開き方向を縦開きとする縦開き用扉体５と横開きとする横開き用扉体７とについて何れか一方から他方への交換取付けが可能となるよう構成されながら、開き方向を変更するに際して共通の取付孔１１ｃ、１２ｃを用いるため変更方法が明快なものとなっている。
【００４７】
また、開口部Ｏの左右端縁部１１、１２は、箱体左右前端から左右方向内側に向けて折曲した前面板１１ａ、１２ａと、該前面板１１ａ、１２ａの左右方向内端から背面側に向けて折曲した内面板１１ｂ、１２ｂとを備えており、取付孔１１ｃ、１２ｃは内面板１１ｂ、１２ｂに設けられている一方、各ヒンジ部６、８はそれぞれブラケット１７、２２を備えており、取付孔１１ｃ、１２ｃに螺入する固定具であるビスＸａを介して内面板１１ｂ、１２ｂに着脱自在に固定される固定片として、ブラケット１７、２２は固定板面１７ｆ、２２ｆを有している。これによって、扉体３が開放された状態でのみ扉体の交換が可能となるため、セキュリティが高くなり、閉鎖時に取付部分が視認できないため、外観性が向上する。また、ブラケット１７、２２の長尺部１７ａ、２２ａは、箱体２の天板２ｂ及び底板２ｅ（折り曲げ片２ｆ）に上下方向内側から当接する補強板１７ｄ、２２ｄの上下端と、開口部Ｏの上下端縁部１０、１３に上下方向内側から当接する固定板面１７ｆの上下端と、背面板１７ｅの下端と、からなる当接端部１７ｈを備えている。これによって、ヒンジ部４を着脱自在としつつ、箱体２の左右両端部の強度が補強されるため、耐久性に優れた収容箱１とすることができる。
【００４８】
またさらに、扉体３には錠前１６が取付けられており、縦開き用扉体５の錠前１６の係止部１６ａは、開口部Ｏの下端縁部１３に設けられた鍵受け１４に係脱自在に係止し、横開き用扉体７の錠前１６の係止部１６ａは、開口部Ｏの左右両端縁部１１、１２に設けられた鍵受け１４に係脱自在に係止するように構成されている。一方、鍵受け１４は、開口部Ｏの上端縁部１０には設けられていない。これによって、錠前１６を有する扉体３であっても、縦開き・横開き相互間の交換取付けが可能であり、しかも、鍵受けを設けないことによって下開きには変更できないようになっている。
【００４９】
なお、本発明は、上述の実施の形態に限られるものではないことは勿論である。例えば、第一の実施の形態の収容箱１に、第二の実施の形態の錠前１６等を設けてもよい。また、各種ブラケットは、開口部Ｏの左右端縁部の取付孔１１ｃ、１２ｃを通じて箱体２に取付けられているが、必ずしも取付孔１１ｃ、１２ｃのみによって取付けられなければならないものではなく、必要に応じて、上下端縁部にも取付孔を設けて補強するものとしてもよい。また、補強の必要性がなければ、ブラケットの長尺部１７ａ、２２ａは、補強板１７ｄ、２２ｄ、背面板１７ｅ、２２ｅ当接端部１７ｈ、２２ｈを有さないものとしてもよい。
【産業上の利用可能性】
【００５０】
本発明は、郵便受け、宅配ボックス、ロッカー等の収容箱の製造、改修等に係る分野に利用可能である。
【符号の説明】
【００５１】
１    収容箱
２    箱体
２ａ  前面
２ｂ  天板
２ｅ  底板
３    扉体
４    ヒンジ部
５    縦開き用扉体
６    縦開き用ヒンジ部
７    横開き用扉体
８    横開き用ヒンジ部
１０    上端縁部
１１    左端縁部
１２    右端縁部
１１ａ、１２ａ  前面板
１１ｂ、１２ｂ  内面板
１１ｃ、１２ｃ  取付孔
１３    下端縁部
１４    鍵受け
１６    錠前
１６ａ  係止部
１７、２２      ブラケット
１７ａ、２２ａ  長尺部
１７ｆ、２２ｆ  固定面板（固定片）
１７ｈ、２２ｈ  当接端部
Ｏ      開口部
Ｘａ    ビス（固定具）
【図１】
2018034882.tif 000003
【図２】
2018034882.tif 000004
【図３】
2018034882.tif 000005
【図４】
2018034882.tif 000006
【図５】
2018034882.tif 000007
【図６】
2018034882.tif 000008
【図７】
2018034882.tif 000009
【図８】
2018034882.tif 000010
【図９】
2018034882.tif 000011
【図１０】
2018034882.tif 000012
【図１１】
2018034882.tif 000013